(57)【特許請求の範囲】
【請求項１】
ハウジング及び回路組立体を備えるターボ機械であって、前記ハウジングは、作動空気流を吸入する吸気口と、前記吸気口から延びるフランジを備え、前記回路組立体は、回路基板と、ヒートシンクを有する電気構成部品とを備え、前記回路組立体は、前記フランジが前記回路基板を超えて軸方向に延びると共に前記ヒートシンクが前記フランジを超えて軸方向に延びるように、前記ハウジング内に配置される、ターボ機械。
【請求項２】
前記フランジは環状であり、前記回路基板は前記フランジを取り囲むと共に前記フランジが貫通して延びる開口を備える、請求項１に記載のターボ機械。
【請求項３】
前記ターボ機械は、前記ハウジング内に配置されるロータ組立体を備え、前記ロータ組立体は、ロータコア及びインペラが取り付けられるシャフトを備え、前記ロータコアは吸気口の近位側にあり、前記インペラは吸気口の遠位側にある、請求項１又は２に記載のターボ機械。
【請求項４】
前記ターボ機械は電気機械を備え、前記構成部品は前記電気機械からの電力又は前記電気機械への電力を制御するパワースイッチである、請求項１から３のいずれかに記載のターボ機械。
【請求項５】
前記ターボ機械はステータ組立体を備え、前記吸気口は、吸気口を通して前記ステータ組立体を見ることができるように、前記ステータ組立体を覆っている、請求項１から４のいずれかに記載のターボ機械。
【請求項６】
前記ステータ組立体は、一対の対向するステータコアを備え、前記吸気口は細長い形状である、請求項５に記載のターボ機械。
【請求項７】
前記ヒートシンクは、前記ステータ組立体の側面に沿って軸方向に延びる、請求項５又は６に記載のターボ機械。
【発明の詳細な説明】
【技術分野】
【０００１】
本発明はターボ機械に関する。
【背景技術】
【０００２】
ターボ機械の回路組立体は、作動空気流に晒される位置に配置できる。従って、回路組立体の構成部品は、空気流によって冷却されるという利点がある。
【発明の概要】
【発明が解決しようとする課題】
【０００３】
しかしながら、この配置は、偶発的に空気流によって運ばれる何らかの液体が回路組立体を短絡させて回復不能な損傷を与える場合がある。
【課題を解決するための手段】
【０００４】
本発明は、ハウジング及び回路組立体を備えるターボ機械を提供し、ハウジングは、作動空気流を吸入する吸気口及び前記吸気口から延びるフランジを備え、回路組立体は、回路基板及びヒートシンクを有する電気構成部品を備え、回路組立体は、フランジが回路基板を超えて延びると共にヒートシンクがフランジを超えて延びるように、ハウジング内に配置される。
【０００５】
フランジは、回路基板を作動空気流から遮るように作用する。結果的に、空気流によって何らかの流体が偶発的に運ばれたとしても、流体が回路基板上に入り込むリスクが低減される。ヒートシンクはフランジを超えて延びるので作動空気流に晒される。結果的に、回路基板を上手く保護しながら、作動空気流による構成部品の冷却を継続的に行うことができる。
【０００６】
回路基板はフランジを取り囲むと共にフランジが貫通して延びる開口を備えることができる。これによりターボ機械の製造が容易になる。特に、回路組立体が多数の電気構成部品を備える場合、回路組立体に関して単一の回路基板を採用できる。更に、回路組立体は、利用可能な空間を有効利用できるので、全体的に更にコンパクトなターボ機械を実現できる。
【０００７】
ターボ機械は、ハウジング内に配置されるロータ組立体を備えることができる。ロータ組立体は、ロータコア及びインペラが取り付けられるシャフトを備えることができる。更に、ロータコアは吸気口の近位側にあり、インペラは吸気口の遠位側にあることができる。従って、インペラは吸気口から離間する。その結果、作動空気流は、ハウジングを通って吸気口からインペラへ略軸方向に移動する。フランジが回路基板を超えて軸方向に延び、空気流が略軸方向に移動するので、回路基板の位置にデッドスペース領域が有効に生じる。
【０００８】
ターボ機械は電気機械を備えることができ、構成部品は、電気機械への電力又は電気機械からの電力を制御するパワースイッチとすることができる。作動空気流に晒されるヒートシンクを設けることで、パワースイッチは、そうでなければパワースイッチを損傷する可能性があるスイッチング周波数で作動すること及び／又は電流を流すことができる。
【０００９】
ターボ機械はステータ組立体を備えることができ、吸気口はステータ組立体を覆うことができ、吸気口を通してステータ組立体を見ることができるようなっている。その結果、ステータ組立体は作動空気流に晒され、このことはステータ組立体を冷却するように作用する。ステータ組立体は一対の対向するステータコアを備えることができ、吸気口は細長い形状とすることができる。細長い形状の吸気口を採用することで、作動空気流を上手くステータ組立体に向かわせることができる。
【００１０】
ヒートシンクは、ステータ組立体の側面に沿って軸方向に延びることができる。これにより、作動空気流によるヒートシンク及びステータ組立体の冷却を保証しながら、よりコンパクトな構造が可能になる。
【００１１】
本発明を容易に理解できるように本発明の実施形態を添付の図面を参照して以下に説明する。 
【図面の簡単な説明】
【００１２】
【図１】本発明によるターボ機械の断面図である。
【図２】ターボ機械の分解組立図である。
【図３】ターボ機械の上部カバーの下面図である。
【発明を実施するための形態】
【００１３】
図１及び２のターボ機械は、ハウジング２、ロータ組立体３、ステータ組立体４、及び回路組立体５を備える。
ハウジング２は、本体６、上部カバー７、及び下部カバー８を備える。本体６は、ロータ組立体３、ステータ組立体４、及び回路組立体５を支持する内部フレームを備える。上部カバー７は、本体６の第１の端部に固定され、作動空気流が入る吸気口９及び吸気口９から内側に延びる環状フランジ１０を備える。下部カバー８は、本体６の第２の端部に固定され、ディフューザ羽根１１及び作動流体が排出される排気口１２を備える。
【００１４】
ロータ組立体３は、シャフト１３、ロータコア１４、ベアリング組立体１５、インペラ１６、及びシュラウド１７を備える。ロータコア１４、ベアリング組立体１５、及びインペラ１６の各々はシャフト１３に取り付けられる。シュラウド１７は、インペラ１６を覆うようにベアリング組立体１５に取り付けられる。ロータ組立体３は、ベアリング組立体１５及びシュラウド１７においてハウジング２の本体６に取り付けられる。詳細には、ロータ組立体３は、Ｏ−リング１８によって各箇所においてソフトマウントされる。ロータ組立体３は、ハウジング２内においてロータコア１４が吸気口９の近位側にありインペラ１６が吸気口１０の遠位側にあるように向きが定められる。
【００１５】
ステータ組立体４は、ロータコア１４の対向側に配置された一対のステータコア１９を備える。導線２０はステータコア１９の周りに巻かれ、一緒になって相巻線を形成する。相巻線は、回路組立体５に電気的に結合される。吸気口９は、ステータ組立体４を覆っており、ステータ組立体４は吸気口９を通して見ることができる。以下に説明するように、これによって作動空気流は、吸気口９からインペラ１６まで移動する際にステータ組立体４を確実に冷却するように作用する。
【００１６】
回路組立体５は、回路基板２１及び複数の電気構成部品２２を備える。電気構成部品２２の１つはトロイダルインダクタ２３及び４つのパワースイッチ２４（例えば、ＢＪＴ、ＭＯＳＦＥＴ、ＩＧＢＴ）である。インダクタ２３はロータ組立体３を取り囲み、ステータ組立体４とインペラ１６との間に配置される。インダクタ２３の巻線は、ステータ組立体４を通り超えて軸方向に延び、回路基板２１に電気的に結合される。４つのパワースイッチ２４は、テータ組立体４の相巻線への電力の供給を制御する。詳細には、パワースイッチ２４はＨブリッジに配置されて相巻線に結合される。パワースイッチ２４の各々はヒートシンク２５を備える。
【００１７】
回路組立体５は上部カバー７の近くに配置される。更に、回路基板２１はフランジ１０を取り囲みフランジ１０が貫通して延びる開口２６を含む。従って、フランジ１０は、回路基板２１を超えて軸方向に延びる。各パワースイッチ２４のヒートシンク２５は、フランジ１０を超えて軸方向に延びる。詳細には、各ヒートシンク２５は、ステータ組立体４の側面に沿って軸方向に延びる。
【００１８】
ターボ機械１の作動時、インペラ１６は、作動空気流を吸気口９からハウジング２に引き込む。ハウジング２内のインペラ１６の位置によって、空気流は、ハウジング２を通って吸気口９からインペラ１６へ略軸方向に移動する。空気流がハウジング２を通って移動するので、空気流はステータ組立体４及びヒートシンク２５を通過する。従って、空気流は、ステータ組立体４及びパワースイッチ２４を冷却するように作用する。
【００１９】
ステータ組立体４を通過する際、空気流はステータ組立体４を冷却するように作用する。その結果、銅損が低減するので効率の良いターボ機械１を得ることができる。ステータ組立体４は、各々が略Ｃ形の一対の対向するステータコア１９を備える。従って、ステータ組立体４の全体的形状は細長い形状である。従って、空気流が上手くステータ組立体４に向かうように、吸気口９も同様に細長い形状である。
【００２０】
ヒートシンク２５を通過する際、空気流はパワースイッチ２４を冷却するように作用する。従って、パワースイッチ２４は、そうでなければパワーロスに関連する過度の熱によってパワースイッチ２４に損傷を与えるようなスイッチング周波数で作動すること及び／又は電流を流すことができる。ヒートシンク２５は、ステータ組立体４の側面を軸方向に沿って延びる。これにより更にコンパクトな構造がもたらされるが、作動空気流はヒートシンク２５及びステータ組立体４を確実に冷却できる。
【００２１】
フランジ１０は、回路基板２１を作動空気流から遮るように作用する。フランジ１０が回路基板２１を超えて軸方向延び、空気流がハウジング２を通って略軸方向に移動するので、デッドスペース領域が回路基板２１の表面に有効に生じる。従って、作動空気流によって何らかの流体が偶発的に運ばれたとしても、流体が回路基板２１上に入り込むリスクは低い。回路基板２１は作動空気流に直接的に晒されていないが、ヒートシンク２５が晒されている。結果的に、回路基板２１が良好に保護されるにもかかわらずパワースイッチ２４は継続して冷却される。
【００２２】
回路組立体５は、回路基板２１上に取り付けられた多数の電気構成部品２２を備える。回路基板２１がフランジ１０を取り囲むようにすることで、利用可能な空間の有効利用ができ、よりコンパクトなターボ機械１が可能になる。更に、フランジ１０を取り囲む場合、回路組立体５に関して単一の回路基板２１を採用できる。従って、ターボ機械１の製造及び組み立てが容易になる。対照的に、回路組立体５がフランジ１０の対向側に配置される２枚の類似の回路基板を備える場合、２枚の回路基板の間の電気的な結合が必要となるはずである。
【００２３】
ロータ組立体３のシャフト１３及びロータコア１４、並びにステータ組立体４及び回路組立体５は、まとめてインペラ１６を駆動するモータと見なすことができる。もしくは、これらの構成部品は、まとめてインペラ１６によって駆動される発電機の形態をとることができる。従って、一般的に、ターボ機械１は、インペラ１６を駆動する又はこれにより駆動される電気機械を備えると言うことができる。回路組立体５は、電気機械への又は電気機械からの電力を制御する少なくとも１つのパワースイッチ２４を備える。前述の特定の実施形態において、電気機械は、ブラシレス直流モータの形態をとることができる。もしくは、電気機械はブラシモータ及び／又は交流モータとすることができる。
【符号の説明】
【００２４】
１  ターボ機械
２  ハウジング
５  回路組立体
９  吸気口
１０  フランジ
２１  回路基板
２５  ヒートシンク
【図１】
0005650176.tif 000002
【図２】
0005650176.tif 000003
【図３】
0005650176.tif 000004